(57)【特許請求の範囲】
【請求項１】
板状の基部および基部に立設される筒状の支持部を有する基台と、
基台の支持部に部分的に内挿される回転軸と、
基台の支持部内に保持され、回転軸をその軸線まわりに基台に対して回転自在に支持する軸受手段と、
基台の支持部に外嵌されて基台に設けられる固定子と、
略有底筒状であり、底板で回転軸の支持部から露出する部分に装着され、固定子および支持部を、支持部の放端側および半径方向外方側から外囲し、固定子との間の磁気的作用によって、基台に対して回転軸の軸線まわりに回転する回転子と、
略有底筒状であり、筒部の底部とは反対側の端部で基台の基部に装着され、底部の中央部には回転子を遊挿できる程度の内径を持つ挿通孔が設けられ、挿通孔に回転子の底板から露出する回転軸が遊挿され、回転子を半径方向外方側および基台の基部とは反対側から外囲するカバー体と、
略有底筒状であり、底部で回転軸の支持部から露出する部分にカバー体よりも基台の基部とは反対側で装着され、カバー体を基台の基部とは反対側および半径方向外方側から外囲する回転台と、
回転台に設けられる複数の羽根片とを有する羽根体とを含むことを特徴とするモータ。
【請求項２】
固定子は、コイルを有し、
回転子は、略有底筒状のヨークと、ヨークの内側にコイルに臨んで近接して設けられる永久磁石とを有することを特徴とする請求項１記載のモータ。
【発明の詳細な説明】
【０００１】
【発明の属する技術分野】
本発明は、モータ内部に塵埃、水分、油分および塩分などが侵入しにくい防塵構造のモータに関する。
【０００２】
【従来の技術】
従来のモータとして、ファンモータを例に説明する。圧縮式冷凍サイクルが採用される冷蔵庫は、冷媒を圧縮するためのコンプレッサを有しており、さらにこのコンプレッサを冷却するためのファンモータを有している。ファンモータは、モータ本体によって羽根体を回転駆動し、羽根体の回転によって冷却用の風をコンプレッサに送ることができる。冷蔵庫は、水分、油分および塩分などが多く存在する台所に設けられる。さらにコンプレッサは、冷蔵庫の背面側に設けられ、冷蔵庫と壁とに挟まれた塵埃の溜まりやすい空間に配置される。したがってファンモータは、塵埃、水分、油分および塩分など（以下、「塵埃、水分、油分および塩分など」を代表して「塵埃など」と記す場合がある）が多く存在する環境下に配置される。
【０００３】
このような環境下で用いられるファンモータは、塵埃などが内部に侵入すると、内部に設けられる軸受、永久磁石、コイルを有する固定子、回路基板などに付着し、発錆、電気的接触不良および軸受における回転抵抗の増加などの不具合を生じてしまう。このような不具合の発生を防止するために、上述の環境下で用いられるファンモータは、内部に塵埃などが侵入しにくい防塵構造を有する必要がある。
【０００４】
防塵構造を有する従来の技術のファンモータが、特開平６−２６１５２０公報に示される。このファンモータは、基台に固定されたケース体に一方の軸受手段が設けられ、この一方の軸受手段によって回転軸を支持している。基台、ケース体、一方の軸受手段および回転軸によって形成される空間の外部で回転軸にファンが設けられている。前記空間に、基台に固定されて固定子および配線基板が設けられ、固定子に他方の軸受手段が設けられる。他方の軸受手段は、一方の軸受手段とともに回転軸を支持する。また前記空間に、永久磁石が固定されるヨークが設けられ、回転軸に固定されている。このようにヨーク、永久磁石、固定子および配線基板は、空間内に設けられ、塵埃などが付着しにくい防塵構造となっている。また一方の軸受手段は、ファンによって外側から覆われている。
【０００５】
また他の従来の技術の電動機の軸受装置が、特開平６−３０３７３６公報に示される。軸受装置は、基台に固定されたケース体に軸受手段が設けられ、この軸受手段によって回転軸を支持している。基台、ケース体、一方の軸受手段および回転軸によって形成される空間の外部で回転軸にファンが設けられている。前記空間に、基台に固定されて固定子が設けられ、さらに前記空間に、回転軸に固定されて永久磁石が設けられている。このように永久磁石および固定子は、空間内に設けられ、塵埃などが付着しにくい防塵構造となっている。
【０００６】
さらに他の術来の技術のファンモータが、特開平９−１１７０９２公報に示されている。このファンモータは、ブラケットに設けられる円筒部に軸受が設けられ、この軸受によって回転軸が支持される。回転軸のブラケットとは反対側でファンが設けられ、このファンの円筒部の端部が、ブラケットの凹所内に嵌まり込むように設けられている。またブラケットには、ファンの円筒部の前記端部付近の内側にファンに近接して円筒部材が設けられる。ブラケット、ファンおよび円筒部材によって、ファンとブラケットとの間の隙間、およびファンと円筒部とによって外部に連通する空間が形成されている。この空間内に前記軸受が設けられ、基台に固定されて固定子が設けれ、ファンに固定されて回転子が設けられる。このように軸受、固定子および回転子は、空間内に設けられ、塵埃などが付着しにくい防塵構造となっている。
【０００７】
【発明が解決しようとする課題】
特開平６−２６１５２０公報のファンモータでは、ファンを有するので一方の軸受手段はそのファンによって覆われているが、ファンを除いた構成では、一方の軸受手段が外部に露出する構成となってしまう。したがって一方の軸受手段は、ファンがなければ外部に露出し、ファンを有していてもファンだけで覆われる一重構造であり、この一方の軸受手段に塵埃などが付着しやすい。
【０００８】
特開平６−３０３７３６公報の軸受装置では、軸受手段が外部に露出している。したがってこの軸受手段に塵埃などが付着しやすい。
【０００９】
特開平９−１１７０９２公報のファンモータでは、ファンとブラケットとの間の隙間を小さくしているけれども、固定子および回転子は、ファンだけによって覆われる構成であり、しかも固定子および回転子が設けられる空間は、ファンと円筒部材との間の短い長さの隙間によって外部に連通している。したがって固定子および回転子に塵埃などが付着しやすい。
【００１０】
本発明の目的は、モータ内部に設けられる固定子および軸受手段などに塵埃、水分、油分および塩分などが付着しにくいモータを提供することである。
【００１１】
【課題を解決するための手段】
請求項１記載の本発明は、板状の基部および基部に立設される筒状の支持部を有する基台と、基台の支持部に部分的に内挿される回転軸と、基台の支持部に保持され、回転軸をその軸線まわりに基台に対して回転自在に支持する軸受手段と、基台の支持部に外嵌されて基台に設けられる固定子と、略有底筒状であり、底板で回転軸の支持部から露出する部分に装着され、固定子および支持部を、支持部の放端側および半径方向外方側から外囲し、固定子との間の磁気的作用によって、基台に対して回転軸の軸線まわりに回転する回転子と、略有底筒状であり、筒部の底部とは反対側の端部で基台の基部に装着され、底部の中央部には回転子を遊挿できる程度の内径を持つ挿通孔が設けられ、挿通孔に回転子の底板から露出する回転軸が遊挿され、回転子を半径方向外方側および基台の基部とは反対側から外囲するカバー体と、略有底筒状であり、底部で回転軸の支持部から露出する部分にカバー体よりも基台の基部とは反対側で装着され、カバー体を基台の基部とは反対側および半径方向外方側から外囲する回転台と、回転台に設けられる複数の羽根片とを有する羽根体とを含むことを特徴とするモータである。
【００１２】
本発明に従えば、回転軸を支持する軸受手段は、基部によって支持部内に設けられ、固定子は、この支持部に外嵌して設けられる。この固定子および支持部が回転子によって外囲され、さらに回転子がカバー体によって外囲される。これによって固定子は、カバー体と回転軸との間の隙間からカバー体と回転子との間の長い通路を経て、さらに回転子の内側に回り込んだ空間に設けられているので、塵埃などがカバー体と回転軸との間の隙間を通過してカバー体内に侵入しても、固定子までの長い通路を通過しなければならず、固定子まで到達しにくく、塵埃などが固定子に付着しにくい。また軸受手段は、固定子と回転子との間を経た固定子よりもさらに奥側となる支持部内に設けられているので、塵埃などは、軸受手段まではさらに到達しにくく、軸受手段には付着しにくい。したがって固定子の塵埃などが付着することによる電気的接触不良、軸受手段に塵埃などが付着することによる回転軸の円滑な回転動作不良などを防止し、固定子と回転子との磁気的作用によって回転子を円滑に回転し、回転軸を円滑に回転することができる。また、回転軸に羽根体が設けられ、羽根体を回転することによって送風することができる。この羽根体は、その回転台によってカバー体を外囲し、カバー体と回転軸との隙間は、カバー体と羽根体の回転台との間の長い通路を経て外部に露出する。このように回転子が、カバー体と羽根体とによっていわば二重構造で外囲され、外部空間から固定子までの通路距離をさらに長くし、回転子に塵埃などがさらに到達しにくくなる。当然に軸受手段にも塵埃は到達しにくくなる。さらに固定子および軸受手段が設けられる空間は、複数回にわたって屈曲または湾曲する通路を経て外部空間に連なるので、これによっても塵埃などが到達しにくくなっている。
【００１３】
なお、カバー体の底部に遊嵌される回転軸は、当該モータの出力軸とすることができ、種々の仕事を行うことができる。
【００１４】
請求項２記載の本発明は、固定子は、コイルを有し、
回転子は、略有底筒状のヨークと、ヨークの内側にコイルに臨んで近接して設けられる永久磁石とを有することを特徴とする。
【００１５】
本発明に従えば、固定子のコイルには、塵埃などが付着しにくい構成であるとともに、回転子の永久磁石は、ヨークの内側に設けられ、したがって永久磁石は、固定子と同様の奥まった空間に設けられ、固定子と同様に塵埃が付着しにくい。さらに永久磁石とコイルとは、近接して設けられ、これによって塵埃のさらに奥側への侵入を困難にしており、塵埃などが軸受手段にさらに付着しにくい。
【００１８】
【発明の実施の形態】
図１は、本発明の実施の一形態のファンモータ１の一部を示す断面図であり、図２は、図１の上側から見たファンモータ１の平面図である。ファンモータ１は、たとえば従来の技術に関連して述べたような冷蔵庫のコンプレッサを冷却するために用いられ、外形が略正方形状のたとえば合成樹脂から成るハウジング２を含む。このハウジング２は、略円形状の空気流路３が挿通して形成される環状の本体部５と、本体部５の軸線方向一端部５ａから半径方向内方突出する複数の連結部６とを含む。本体部５には、４つの角部に取付孔２ａがそれぞれ形成されており、たとえば各取付孔２ａに挿通したボルトを冷蔵庫の機体に螺着するなどして、ハウジング２が冷蔵庫の機体に取付けられる。ハウジング２の空気流路３内に嵌まり込んで、モータ本体７、カバー体８および羽根体９が設けられる。モータ本体７は、基台１０と、回転軸１１と、軸受手段１２と、固定子１３と、回転子１４とを有する。
【００１９】
基台１０は、板状の基部１５および基部１５に立設される筒状の支持部１６を有し、基部１５がハウジング２の本体部５の軸線方向一端部５ａに配置され、支持部１６が本体部５の軸線方向他端部５ｂに向けて突出して配置される。この基台１０は、基部１５の外周部がハウジング２の各連結部６に連結され、ハウジング２に固定される。ハウジング２および基台１０は、たとえば合成樹脂によって一体に形成される。
【００２０】
回転軸１１は、基部１５によって軸線方向一端部１６ａが塞がれる支持部１６内に、軸線方向一端部１１ａから部分的に内挿され、この軸線方向一端部１１ａが基部１５によって軸線方向から支持されている。軸受手段１２は、基台１０の支持部１６内に保持され、回転軸１１をその軸線Ｌ１まわりに基台１０に対して回転自在に支持する。軸受手段１２は、１まはた複数のすべり軸受を有する手段であってもよく、もしくは１または複数の球軸受などの転がり軸受を有する手段であってもよい。
【００２１】
固定子１３は、基台１０の支持部１６に外嵌されて基台１０に設けられる。この固定子１３は、支持部１６に装着固定されるステータコア部１７と、ステータコア部１７に絶縁部１８を介してそれぞれ巻回されるコイル１９とを有する。またモータ本体７は、基台１０の支持部１６に、回転子１３よりも基台１０の基部１５寄りで固定される配線基板２０を有する。この配線基板２０は、図示しない電源に電気的に接続されるとともに、各コイル１９に電気的に接続され、この配線基板２０から各コイル１９に電流を供給し、各コイル１９を励磁することができる。
【００２２】
回転子１４は、ヨーク２２と、永久磁石２３とを有する。ヨーク２２は、磁性材からなり底板２４と、底板２４の外周部２９に連なる周壁２５とを有する略有底筒状に形成される。底板２４は、中央部に取付孔２６が形成される略円板状の内周部２７と、内周部２７の最外周部分に連なって内周部２７の軸線方向一方側に屈曲し、この軸線方向一方に向かうにつれて拡開する円錐台状の中間部２８と、中間部２８の最外周部分に連なって半径方向外方に突出する内周部とほぼ平行な円環板状の外周部２９とを有する。周壁２５は、円筒状であり、外周部２９の最外周部分に底板２４の内周部２７の軸線方向一方側に屈曲して連なる。永久磁石２３は、円筒状でステータコア部１７の外周面に径方向に近接して設けられる。永久磁石２３は、周壁２５の半径方向内方側および底板２４の外周部の軸線方向一方側に、したがってヨーク２２の内側に固定されて設けられる。
【００２３】
このような回転子１４は、取付部材３０をさらに有する。取付部材３０は、真鍮からなり、軸線方向中間部にフランジ３１が形成され、軸線方向一方側の端部に塑性変形可能な薄肉部３１ａが形成されて、回転軸１１に圧入されている。ヨーク２２は、この取付孔２６に回転軸１１を挿通して回転軸１１に固定された取付部材３０のフランジ３１の軸線方向一方側に当接させる。そして、取付部材３０の薄肉部３１ａを径方向外方に塑性変形させて、取付孔２６の周縁をフランジ３１と挟持するようにしてヨーク２２が取付部材３０に固定される。取付部材３０にヨーク２２が固定された状態で、取付部材３０の軸線方向他方側の部分は、ヨーク２２の周壁２５とは反対側に露出している。この取付部材３０には、軸線方向に挿通する円筒状の軸孔３２が形成されており、この軸孔３２に、回転軸１１の軸線方向他端部１１ｂ側の支持部１６から露出する部分が挿通された状態で、回転軸１１に固定される。回転軸１１に固定された状態で、ヨーク２２は、底板２４から回転軸から半径方向外方に突出し、周壁２５が底板２４から回転軸１１の軸線方向一端部１１ａ側、したがって基台１０の基部１５側に延びている。
【００２４】
この回転子１４は、回転台およびヨーク２２の底板２４によって基台１０の支持部１６を開放端側から、したがって基台１０の基部１５とは反対側から覆うとともに、底板２４によって固定子１３を基台１０の基部１５とは反対側から覆う。また回転子１４は、ヨーク２２の周壁２５および永久磁石２３ならびにヨーク２２の底板２４の中間部２８および外周部２９によって、基台１０の支持部１６および固定子１３を半径方向外方から覆う。本実施の形態においては、支持部１６および固定子１３は、基部１５とは反対側の一部分が半径方向外方から覆われるが、全体が覆われる構成であてもよい。このように回転子１４は、略有底筒状であり、底壁２４で回転軸１１の支持部１６から露出する部分に固定され、固定子１３および支持部１６を、支持部１６の開放端側および半径方向外方側から外囲する。
【００２５】
回転子１４の永久磁石２３は、固定子１３のコイル１９に対応する位置に径方向に近接して配置されている。この回転子１４は、固定子１３のコイル１９が励磁されることによって、コイル１９と、永久磁石２３との間の磁気的作用によって、基台１０に対して回転軸１１の軸線Ｌ１まわりに回転される。したがって上述のようなモータ本体７では、回転子１４が固定される回転軸１１がその軸線Ｌ１まわりに回転される。
【００２６】
カバー体８は、たとえば合成樹脂から成り、底部３５と、底部３５の最外周部部分に連なる筒部３６とを有する略有底筒状に形成される。底部３５は、中央部に挿通孔３７が形成される略円板状である。挿通孔３７は、回転子１４の底壁２４から基台１０の基部１５と反対側に露出する回転軸１１、取付部材３０および後述の回転台４０の中央部が遊嵌される程度の内径である。したがって、底部３５からそれら回転軸１１、取付部材３０、回転台４０の中央部が突出し、挿通孔３７に臨む内周面とは離間する。筒部３６は、略円筒状であり、底部３５から軸線方向一方側に屈曲して連なる。基台１０の基部１５には、外周部に支持部１６と同一側に突出する装着部３９が形成されており、カバー体８は、筒部３６の底部３５とは反対側の端部３６ａで、基台１０の基部１５の装着部３９に装着される。筒部３６は、回転子１４および配線基板２０の半径方向外方側で、基台１０の基部１５から基台１０の支持部１６と同一側に立上がっている。底部３５は、回転子１４のヨーク２２よりも基部１５とは反対側において、筒部３６の基部１５とは反対側の端部から半径方向内方に屈曲して、回転軸付近まで、具体的には回転子１４の取付部材３０付近まで突出している。
【００２７】
このような状態で、カバー体８は、回転軸１１と同軸に設けられ、回転子１４を半径方向外方側および基台１０の基部１５とは反対側から外囲している。さらに詳しく述べると、配線基板２０は、基台１０の装着部３９内に嵌まり込んだ状態となり、この装着部３９によって配線基板２０が半径方向外方から覆われ、この装着部３９に装着されるカバー体８の筒部３６は、固定子１４のヨーク２２を半径方向外方から覆う。また筒部３６に連なる底部３５は、ヨーク２２を基部１５とは反対側から覆うとともに、その内周部が取付部材３０の軸線方向他方側の部分を半径方向外方から外囲している。
【００２８】
羽根体９は、回転台４０と、複数の羽根片４４とが、たとえば合成樹脂によって一体に形成される。回転台４０は、底部４１と筒部４２と有し、略有底筒状に形成される。底部４１は、略円板状であり、中央部に取付孔４３が形成されている。筒部４２は、略円筒状であり、底部４１の最外周部に連なって軸線方向一方側に屈曲している。このような回転台４０の筒部４２に、周方向に間隔をあけて各羽根片４４が設けられて、筒部４２から半径方向外方に突出している。
【００２９】
図３は、図１の切断面線ＩＩＩ−ＩＩＩから見た断面図である。回転軸１１に固定される回転子１４の取付部材３０は、その軸線方向他方側の部分の外形が略Ｄ字状に形成されている。具体的には、取付部材３０の軸線方向他方側の部分は、大略的に円筒状であり、周方向の一箇所において、外周部が残余部分よりも半径方向内方側に凹むように軸線に平行な平面に沿って平坦状に形成されている。
【００３０】
羽根体９の回転台４０は、底部４１の中央部の内周部が軸線方向に関して段差を有して２段に形成されており、軸線方向一方側の部分は、軸線方向他方側の部分よりも大径に形成されている。軸線方向一方側の部分は、大略的に円筒状であり、周方向の一箇所において、内周部が残余の部分よりも半径方向内方側に突出するように軸線に平行な平面に沿って平坦状に形成されている。この軸線方向一方側の部分は、その内形が、取付部材３０の軸線方向他方側の部分の外形よりもわすかに大きな寸法の略Ｄ字状に形成されている。羽根体９の中央部の軸線方向他方側の部分は、内周部が円筒状である。
【００３１】
羽根体９は、回転台４０の筒部４２を基台１０の基部１５寄りに配置して、挿通孔４３に回転軸１１および取付部材３０を挿通して、回転軸１１と同軸に設けられる。このとき挿通孔４３が形成される底部４１の中央部は、軸線方向一方側の部分が軸線方向他方側の部分に対して基台１０の基部１５寄りに配置され、軸線方向一方側部分に取付部材３０の軸線方向他方側の部分が嵌まり込み、軸線方向他方側部分に回転軸１１が挿通し、回転軸１１に対してその軸線Ｌ１まわりの回転が阻止された状態で設けられている。この状態で、回転軸１１には、２つのＯリング５０，５１および環状の支持部材５２が外嵌され、さらにたてえばＥリングなどによって実現される抜け止め片５３が装着されて、羽根体９の回転軸１１からの抜けが防止されている。Ｏリング５０，５１は１つでもよい。
【００３２】
このようにして羽根体９は、回転台４０が底部４１で回転軸１１の支持部１６から露出する部分に回転子１４よりも基台１０の基部１５とは反対側で着脱自在に装着されている。回転子１４が回転されることによって回転軸１１が回転されると、これに伴って羽根体９が軸線Ｌ１まわりに回転される。羽根体９が回転されると、羽根体９の各羽根片４４が、回転軸１１の軸線Ｌ１に沿って、軸線方向他方側から軸線方向一方側に（図１の上から下に）向かう方向Ａに押圧し、同方向Ａに送風することができる。
【００３３】
また羽根体９は、回転軸１１に固定された状態で、回転台４０がカバー体８を基台１０の基部１５とは反対側および半径方向外方側から外囲する。具体的には、底部４１の中央部がカバー体８の底部３５に形成された挿通孔３７内に嵌まり込んだ状態で、回転台４０の底部４１が回転軸１１からカバー体８の底部３５の基部１５とは反対側で半径方向に突出して、カバー体８の底部３５を基台１０の基部１５とは反対側から覆っている。また回転台４０の筒部４２は、カバー体８の筒部３６の半径方向外方側で底部４１から基台１０の基部１５に向けて立ち下がっている。
【００３４】
このようなファンモータ１では、回転軸１１を支持する軸受手段１２は、基部１５によって軸線方向一方が塞がれる支持部１６内に設けられ、固定子１３は、この支持部１６に外嵌して設けられる。この固定子１３および支持部１６が回転子１４によって外囲され、さらに回転子１４がカバー体８によって外囲される。これによって固定子１３は、カバー体８の底部３５の挿通孔３７の内周部と回転軸１１との間、さらに具体的には羽根体９の底部４１の中央部との間および回転子１４の取付部材３０との間の隙間からカバー体８と回転子１４との間の長い通路５５を経て、さらに回転子１４の内側に回り込んだ空間に設けられているので、塵埃、水分、油分および塩分など（以下、これらを代表して「塵埃など」と記す場合がある）がカバー体８と回転軸１１との間の隙間を通過してカバー体８内に侵入しても、固定子１３までの長い通路を通過しなければならず、塵埃などが固定子１３まで到達しにくく、塵埃などが固定子１３に付着しにくい。また軸受手段１２は、固定子１３と回転子１４との間を経た固定子１４よりもさらに奥側となる支持部１６内に設けられているので、塵埃などは、軸受手段１２まではさらに到達しにくく、軸受手段１２には付着しにくい。したがって固定子１３に塵埃などが付着することによる電気的接触不良、軸受手段１２に塵埃などが付着することによる回転軸１１の円滑な回転動作不良などを防止し、固定子１３と回転子１４との磁気的作用によって回転子１４を円滑に回転し、回転軸１１を円滑に回転することができる。
【００３５】
さらに固定子１３のコイル１９は、回転子１４およびカバー体８に外囲された塵埃などが付着しにくい構成であるとともに、回転子１４の永久磁石２３は、ヨーク２２の内側に設けられ、したがって永久磁石２３は、固定子１３と同様の奥まった空間に設けられ、固定子１３と同様に塵埃が付着しにくい。さらに永久磁石２３とコイル１９とは、近接して設けられ、これによって塵埃のさらに奥側への侵入を困難にしており、塵埃などが軸受手段１２にさらに付着しにくい。さらに基台１０の支持部１６には、開放端部に半径方向内方に突出して、支持部１６の開放端を塞ぐキャップ部材６０が設けられており、塵埃などが軸受手段１２にさらに付着しにくくするとともに、軸受手段１２からの潤滑油の漏出を防ぐ。このキャップ部材６０は、回転軸１１とは離間しており、回転軸１１の円滑な回転に支障を来すことがない。
【００３６】
さらに回転軸１１に羽根体９が設けられ、羽根体９を回転することによって送風することができる。この羽根体９は、その回転台４０によってカバー体８を外囲し、カバー体８と回転軸１１との前記隙間は、カバー体８と羽根体９の回転台４０との間の長い通路を経て外部に露出する。このように回転子１４が、カバー体８と羽根体９とによっていわば二重構造で外囲され、外部空間から固定子１３までの通路距離をさらに長くし、回転子１４に塵埃などがさらに到達しにくくなる。当然に軸受手段１２にも塵埃は到達しにくくなる。さらに固定子１３および軸受手段１２が設けられる空間は、複数回にわたって屈曲または湾曲する通路５５を経て外部空間に連なる。
【００３７】
詳しく述べると通路５５は、カバー体８と回転子１４との間の軸線Ｌ１に平行な断面における形状がＬ字状の通路部分５５ａと、この通路部分５５ａの回転軸１１寄りの一端部に、約１８０度反転するようにＵ状に屈曲して連なり、カバー体８と羽根体９との間の軸線Ｌ１に平行な断面における形状がＬ字状であって、通路部分５５ａを基部１５と反対側および半径方向外方から外囲するように形成される通路部分５５ｂとから成る。固定子１３および永久磁石２３が設けられる空間は、ヨーク２２内の空間であり、基台１０の基部１５側において半径方向外方で、約１８０度反転するようにＵ字状に屈曲して、通路５５の通路部分５５ａの他端部に連通している。この通路５５の通路部分５５ｂの通路部分５５ａと連通する一端部とは反対の他端部で外部に連通している。このように固定子１３および永久磁石２３は、少なくとも４つの屈曲部を有する通路５５によって外部に連通しており、これによっても塵埃などが到達しにくくなっている。また配線基板２０は、ヨーク２２内から基部１５寄りに突出する空間にあるが、この空間も同様に通路５５を介して外部空間に連通しており、この配線基板２０にも塵埃などが付着しにくい構造となっている。
【００３８】
またヨーク２２の底板２４が上述のような各部２７〜２９から成り、通路部分５５ａの中途部に、埃などが外部から内部に侵入しようとするときの侵入方向に関して、残余の領域よりも流路断面積が急激に大きくなる領域が形成されている。これによって塵埃などが内部に侵入しようとしても、この領域において侵入速度が急激に低下するので、塵埃などは、作用によってさらに内部まで侵入しにくくなる。また羽根体９が回転することによる送風方向Ａは、通路５５が外部空間に連通する方向と同一方向であり、羽根体９が回転して送風されると、この通路５５の外部空間に連なる領域付近は負圧になり、したがって塵埃などは、内部空間から吸い出される方向に力を受けることになり、塵埃などが内部に侵入しにくくなるうえ、吸い出し効果を得ることができる。カバー体８は、回転軸１１、回転子１４および羽根体９に対して離間しており、回転軸１１、回転子１４および羽根体９の円滑な回転に支障を来すことがない。
【００３９】
図４は、カバー体８および基台１０の一部を示す斜視図である。基台の装着部３９は、短円環状であり、基部１５から突出する先端部には、半径方向内方側に基部１５から離反する方向に凸となる突条６２が全周に延びて形成されている。この突条６２の半径方向外方側の表面６３は、基部１５から離反するにつれて縮径するように円錐台状に形成されている。突条６２の内表面は、装着部３８の残余の部分と面一となる円筒面に形成される。
【００４０】
また装着部３９には、周方向に複数、本実施の形態では等間隔に３つ係止爪６４が形成される。各係止爪６４は、突条６２から半径方向外方に突出しており、半径方向外方側の表面６５は、基台１０の基部１５寄りになるにつれて半径方向外方に突出するように傾斜している。係止爪６４は、１、２または４つ以上形成されてもよい。
【００４１】
カバー体８の筒部３６の底部３５に連なる側とは反対側の端部には、半径方向外方側に底部３５から離反する方向、したがって基台１０の基部１５向けて凸となる突条６７が全周に延びて形成されている。この突条６７の半径方向内方側の表面６８は、筒部３５から離反するにつれて、したがって基部１５に近接するにつれて拡径するように円錐台状に形成される。カバー体８の突条６７の表面６８は、その軸線に対する傾斜角度が、装着部３８の突条６２の表面６３の軸線に対する傾斜角度が同一に選ばれている。またカバー体８の突条６７は、先端部の内径が装着部３８の突条６２の基端部の外径よりもわずかに小さくかつ先端部の外径よりも大きく選ばれており、また基端部の内径が装着部３８の突条６２の先端部の外径よりもわずかに小さく選ばれている。突条６７の外表面は、筒部３６の残余の部分と面一となる円筒面に形成される。
【００４２】
またカバー体８の筒部３６には、周方向に係止爪６４と同数の係止部７０が形成される。各係止部７０は、突条６７から半径方向外方に突出し、底部３５から離反する方向に凸となり略Ｕ字状に形成さる。突条６７の係止部７０に囲まれる部分は、切欠き７１が形成されている。
【００４３】
カバー体８は、その突条６７の内方側に装着部３８の突条６２を挿入するようにし、突条６７の切欠き７１に係止爪６４を挿通して、この係止爪６４に係止部７０を係止して、装着部３８に装着される。このとき各突条６２，６７の各表面６３，６８は、弾発的に当接し、突条６７の切欠き７１は、突条６３および係止爪６４によって隙間が形成されないように塞がれている。また突条６２の先端部とカバー体８の筒部３６とは、弾発的に当接していてもよく、またわずかに隙間をあけていてもよい。また突条６７の先端部と装着部３８とは、弾発的に当接していてもよく、またわずかに隙間をあけていてもよい。
【００４４】
このような構成の係止爪６４および係止部７０によってカバー体８を装着部３８にむけて押圧するだけの簡単な操作によって容易にかつしっかりと装着することができる。しかも係止部７０を半径方向外方に変形されることによって容易に取外すことができる。このようにカバー体は着脱自在であり、しかも装着部３８を軸線方向に短くして装着位置を基部１５寄りに配置することによって、基部１５をできるだけ平坦にし、カバー体８を装着する前に行われる回転軸１１、固定子１３、回転子１４および配線基板２０などの取付作業において、これらの取り回しが容易になり、組立作業を容易にすることができる。また羽根体９およびカバー体８を取り外してメンテナンスを容易に行うことができる。
【００４５】
また各突条６２，６７を設けて弾発的に当接されることによって、別体に形成しても、その継ぎ目から塵埃などが侵入してしまうことを確実に防ぐことができる。また羽根体９の回転台４０の筒部４２が、この装着位置付近まで延びており、これによって上述のように送風するとき、このカバー体８装着部３８との継ぎ目に外部から臨む付近は、負圧になるので、塵埃などは、内部空間から吸い出される方向に力を受けることになり、これによってさらに塵埃などが内部に侵入しにくくなるうえ、吸い出し効果を得ることができる。また装着位置は、羽根体９が取り付けられた状態でも、外部から確認できる位置にあり、たとえば振動などによってカバー体８が外れてしまっている場合に、カバー体８が外れていることを外部から容易に目視確認することができる。
【００４６】
このようなファンモータ１は、たとえば従来の技術に関連して述べたような圧縮式冷凍サイクルが採用される冷蔵庫に設けられ、冷媒を圧縮するためのコンプレッサを冷却するために用いられる。つまりファンモータ１は、モータ本体７によって羽根体９を回転駆動し、羽根体９の回転によって冷却用の風をコンプレッサに送ることができる。冷蔵庫は、水分、油分および塩分などが多く存在する台所に設けられる。さらにコンプレッサは、冷蔵庫の背面側に設けられ、冷蔵庫と壁とに挟まれた塵埃の溜まりやすい空間に配置される。したがってファンモータは、塵埃、水分、油分および塩分などが多く存在する環境下に配置されるが、本発明に従うファンモータ１は、上述のように優れた防塵構造を有しており、塵埃などが内部に侵入することを防止し、内部に設けられる軸受手段１１、永久磁石２３、コイルを有する固定子１３、配線基板２０などに付着し、発錆、電気的接触不良および軸受手段１１における回転抵抗の増加などの不具合を生じてしまうことを、確実に防ぐことができ長期にわたる使用が実現できる。
【００４７】
図５は、基台１０の一部を示す斜視図である。基台１０の基部１５には、装着部３８の内側に装着部３８を含む基部１５を補強するために、全周に延びる断面矩形状の補強部７５が形成されるとともに、装着部３８の外側にも装着部３８を含む基部１５を補強するためのリブ７６が周方向に複数形成される。補強部７５および各リブ７６は、基台１０の基部１５、特に装着部３８の変形を防止し、カバー体８の着脱を容易にするとともに、モータ本体７の破損を防止することができる。リブ７６は、たとえば３つでもよく、１、２または４つ以上形成されてもよい。
【００４８】
また図１に示すように羽根体９の回転台４０には、内側に周方向に複数のリブ７７が形成される。各リブ７７は、羽根体９の変形を防止し、羽根体９の回転による送風効率の低下を防止することができる。各リブ７７は、たとえば３つでもよく、１、２または４つ以上形成されてもよい。
【００４９】
上述の実施の形態は、本発明の例示に過ぎず、本発明の範囲内において構成を変更することができる。たとえば冷蔵庫のコンプレッサに代えて、他の電気機器、喫煙場や半田作業場の煙を吸う吸煙機などを冷却するためのファンモータ１であってもよい。また羽根体９を有していないモータであってもよく、カバー体８より基台１０の基部１５の反対側に露出する回転軸１１を出力軸として、これから得られる駆動力を活用して何らかの仕事を行うモータにも適用できる。この場合、羽根体９が設けられる効果は、得られないが、カバー体８によって塵埃などの侵入を確実に防止することが可能であり、高い防塵効果を達成している。また羽根体９を設けないまでも、羽根体９の回転台４０に相当する部分だけを設けるようにしてもよく、これによって送風によって得られる負圧による効果を除いて同様の効果を達成することができる。
【００５０】
【発明の効果】
請求項１記載の本発明によれば、回転軸を支持する軸受手段は、基部によって支持部内に設けられ、固定子は、この支持部に外嵌して設けられる。この固定子および支持部が回転子によって外囲され、さらに回転子がカバー体によって外囲される。これによって固定子は、カバー体と回転軸との間の隙間からカバー体と回転子との間の長い通路を経て、さらに回転子の内側に回り込んだ空間に設けられているので、塵埃などがカバー体と回転軸との間の隙間を通過してカバー体内に侵入しても、固定子までの長い通路を通過しなければならず、固定子まで到達しにくく、塵埃などが固定子に付着しにくい。また軸受手段は、固定子と回転子との間を経た固定子よりもさらに奥側となる支持部内に設けられているので、塵埃などは、軸受手段まではさらに到達しにくく、軸受手段には付着しにくい。したがって固定子の塵埃などが付着することによる電気的接触不良、軸受手段に塵埃などが付着することによる回転軸の円滑な回転動作不良などを防止し、固定子と回転子との磁気的作用によって回転子を円滑に回転し、回転軸を円滑に回転することができる。そして回転軸に羽根体が設けられ、羽根体を回転することによって送風することができる。この羽根体は、その回転台によってカバー体を外囲し、カバー体と回転軸との隙間は、カバー体と羽根体の回転台との間の長い通路を経て外部に露出する。このように回転子が、カバー体と羽根体とによっていわば二重構造で外囲され、外部空間から固定子までの通路距離をさらに長くし、回転子に塵埃などがさらに到達しにくくなる。当然に軸受手段にも塵埃は到達しにくくなる。さらに固定子および軸受手段が設けられる空間は、複数回にわたって屈曲または湾曲する通路を経て外部空間に連なるので、これによっても塵埃などが到達しにくくなっている。
【００５１】
請求項２記載の本発明によれば、固定子のコイルには、塵埃などが付着しにくい構成であるとともに、回転子の永久磁石は、ヨークの内側に設けられ、したがって永久磁石は、固定子と同様の奥まった空間に設けられ、固定子と同様に塵埃が付着しにくい。さらに永久磁石とコイルとは、近接して設けられ、これによって塵埃のさらに奥側への侵入を困難にしており、塵埃などが軸受手段にさらに付着しにくい。
【図面の簡単な説明】
【図１】本発明の実施の一形態のファンモータ１を示す断面図である。
【図２】ファンモータ１の平面図である。
【図３】図１の切断面線ＩＩＩ−ＩＩＩから見た断面図である。
【図４】カバー体８および基台１０の一部を示す斜視図である。
【図５】基台１０の一部を示す斜視図である。
【符号の説明】
１  ファンモータ
２  ハウジング
３  空気流路
７  モータ本体
８  カバー体
９  羽根体
１０  基台
１１  回転軸
１２  軸受手段
１３  固定子
１４  回転子
１５  基台の基部
１６  基台の支持部
１９  コイル
２０  配線基板
２２  ヨーク
２３  永久磁石
４０  回転台
４４  羽根片
【図１】
0003639467.tif 000002
【図２】
0003639467.tif 000003
【図３】
0003639467.tif 000004
【図４】
0003639467.tif 000005
【図５】
0003639467.tif 000006